(57)【要約】      （修正有）【課題】回転ダイアルの回転操作により複数種のＮＤフィルタを切替える際に、切替対象部材の種類を検出するセンサの検出精度を低下させることなく、センサが実装されるフレキシブル基板の形状の自由度を向上させる。【解決手段】電子機器は、４つの切欠き部１０９ｃが形成された外側環状リブ１０９ａと同一円周上に配置され、切欠き部１０９ｃの有無を検出するセンサ１２４ａと、半周分の切欠き部１０９ｄが形成された内側環状リブ１０９ｂと同一円周上に配置され、切欠き部１０９ｄの有無を検出する２つのセンサ１２４ｂ，１２４ｃとがフレキシブル基板１２４に実装される。センサ１２４ａ，１２４ｂ，１２４ｃの検出結果に基づいて、切り替えられたＮＤフィルタの種類をＣＰＵにより判別する際に、センサ１２４ａが４つの切欠き部１０９ｃを個々に検出するタイミングでのセンサ１２４ｂ，１２４ｃの検出結果の組み合せが異なる。【選択図】図６
2014044869.tif 000002
【特許請求の範囲】
【請求項１】
複数種の切替対象部材と、
回転操作が可能とされて、外側環状リブと、前記外側環状リブの径方向内側に配置される内側環状リブとが同軸に設けられ、前記外側環状リブ、及び前記内側環状リブのいずれかの環状リブに、周方向に間隔をもって複数の回転位置検出用の切欠き部が形成されるとともに、他の環状リブに、前記切替対象部材の種類検出用の切欠き部が形成される回転ダイアルと、
前記回転ダイアルの回転操作に連動して前記複数種の切替対象部材を切替動作させる切替機構と、
複数の前記回転位置検出用の切欠き部が形成された前記環状リブと同一円周上に配置され、前記回転ダイアルの回転操作の際に、前記回転位置検出用の切欠き部の有無を検出する第１センサと、
前記種類検出用の切欠き部が形成された前記環状リブと同一円周上に配置され、前記回転ダイアルの回転操作の際に、前記種類検出用の切欠き部の有無を検出する複数の第２センサと、
前記第１センサ、及び複数の前記第２センサが実装されるフレキシブル基板と、
前記第１センサ、及び複数の前記第２センサの検出結果に基づいて、前記切り替えられた前記切替対象部材の種類を判別する判別手段と、を備え、
前記回転ダイアルの回転操作により前記第１センサが複数の前記回転位置検出用の切欠き部を個々に検出するタイミングでの複数の前記第２センサの検出結果の組み合せが異なることを特徴とする電子機器。
【請求項２】
前記外側環状リブに前記複数の回転位置検出用の切欠き部が形成されるとともに、前記内側環状リブに前記切替対象部材の種類検出用の切欠き部が形成されることを特徴とする請求項１に記載の電子機器。
【請求項３】
前記第１の内側環状リブ、及び前記第２の内側環状リブの同一円周上において、前記第１センサが配置された箇所とは異なる位相になるように複数の前記第２センサが配置されることを特徴とする請求項２に記載の電子機器。
【請求項４】
前記内側環状リブは、第１の内側環状リブと、前記第１の内側環状リブの径方向内側に配置される第２の内側環状リブとを有し、
前記第１の内側環状リブ、及び前記第２の内側環状リブにそれぞれ前記切替対象部材の種類検出用の切欠き部が位相をずらして形成されるとともに、前記第１の内側環状リブ、及び前記第２の内側環状リブの同一円周上にそれぞれ前記第２センサが配置され、
前記第１センサ、及び前記第１の内側環状リブと前記第２の内側環状リブの同一円周上にそれぞれ配置される前記第２センサが前記回転ダイアルの径方向に直線状に並んで配置されることを特徴とする請求項２に記載の電子機器。
【請求項５】
前記複数種の切替対象部材は光透過率がそれぞれ異なるＮＤフィルタであることを特徴とする請求項１ないし４の何れか１項に記載の電子機器。
【発明の詳細な説明】
【技術分野】
【０００１】
本発明は、回転ダイアルの回転操作により複数種のＮＤフィルタ等の切替対象部材の切替を行う際に、切り替えられた切替対象部材の種類を検出するセンサを備えるデジタルビデオカメラ等の電子機器に関する。
【背景技術】
【０００２】
デジタルビデオカメラ等の電子機器では、回転ダイアルの回転操作により撮影モードを切り替える際に、ＬＥＤとフォトトランジスタを用いて回転ダイアルの回転方向を検出するものがある（特許文献１）。
【０００３】
また、図９に示すように、回転ダイアルの回転操作により４種類のＮＤフィルタの切替を行う際に、切り替えられたＮＤフィルタの種類を３つのフォトインタラプタで検出するものがある。以下、具体的に説明する。
【０００４】
図９（ａ）に示すように、回転ダイアル４０１の回転操作部と同軸に設けられる環状リブ４０１ａには、回転ダイアル４０１の回転操作方向に９０°間隔で３つの切欠き部４０１ｂが形成されている。
【０００５】
また、環状リブ４０１ａの円周方向に沿って９０°間隔で３つのフォトインタラプタ４０２ａ〜４０２ｃが配置され、フォトインタラプタ４０２ａ〜４０２ｃは、フレキシブル基板４０２（図９（ｃ））に実装されている。図９（ａ）及び図９（ｃ）に示す状態では、３つの切欠き部４０１ｂと３つのフォトインタラプタ４０２ａ〜４０２ｃの位置が一致している。
【０００６】
図９（ｂ）は、環状リブ４０１ａの回転角度（回転ダイアル４０１の回転角度）と、回転角度におけるフォトインタラプタ４０２ａ〜４０２ｃのＨＩ−ＬＯＷ関係を示す論理チャート図である。図９（ａ）は、環状リブ４０１ａの回転角度が０°の状態であり、環状リブ４０１ａの回転方向は反時計回り方向を正としている。
【０００７】
図９（ｂ）では、回転ダイアル４０１を回転操作した際、環状リブ４０１ａの切欠き部４０１ｂ以外の部分がフォトインタラプタ４０２ａ〜４０２ｃ（ｓｅｎｓｏｒＡ〜Ｃ）を通過して光が遮られているときをＨＩとしている。また、環状リブ４０１ａの切欠き部４０１ｂがフォトインタラプタ４０２ａ〜４０２ｃを通過して光が受光されたときをＬＯＷとしている。
【先行技術文献】
【特許文献】
【０００８】
【特許文献１】特開２０１０−９２６１７号公報
【発明の概要】
【発明が解決しようとする課題】
【０００９】
しかし、図９に示すように、３つのフォトインタラプタ４０２ａ〜４０２ｃを用いて切り替えられたＮＤフィルタの種類を検出する場合、次の問題がある。
【００１０】
図１０を参照して説明すると、例えば環状リブ４０１ａの回転角度が０°の状態から少し回転した際に、３つの切欠き部４０１ｂの幅寸法のバラツキによりフォトインタラプタ４０２ａがフォトインタラプタ４０２ｂ，４０２ｃよりも早くＨＩ状態になる。これは、回転ダイアル４０１が９０°回転した状態（図１０（ｂ）参照）と同様になり、誤検出の原因となる。
【００１１】
また、３つのフォトインタラプタ４０２ａ〜４０２ｃが９０°間隔でフレキシブル基板４０２に実装されるため、図９（ｃ）に示すように、フレキシブル基板４０２は、回転ダイアル４０１の投影面積の約半分程度を覆うサイズが必要になる。このため、フレキシブル基板４０２の形状が制約されて材料取りの歩留りが低下し、コストアップにつながる。
【００１２】
そこで、本発明、回転ダイアルの回転操作により複数種の切替対象部材の切替を行う際に、切り替えられた切替対象部材の種類を検出するセンサの検出精度を低下させることなく、センサが実装されるフレキシブル基板の形状の自由度を向上させる仕組み提供する。
【課題を解決するための手段】
【００１３】
上記目的を達成するために、本発明の電子機器は、複数種の切替対象部材と、回転操作が可能とされて、外側環状リブと、前記外側環状リブの径方向内側に配置される内側環状リブとが同軸に設けられ、前記外側環状リブ、及び前記内側環状リブのいずれかの環状リブに、周方向に間隔をもって複数の回転位置検出用の切欠き部が形成されるとともに、他の環状リブに、前記切替対象部材の種類検出用の切欠き部が形成される回転ダイアルと、前記回転ダイアルの回転操作に連動して前記複数種の切替対象部材を切替動作させる切替機構と、複数の前記回転位置検出用の切欠き部が形成された前記環状リブと同一円周上に配置され、前記回転ダイアルの回転操作の際に、前記回転位置検出用の切欠き部の有無を検出する第１センサと、前記種類検出用の切欠き部が形成された前記環状リブと同一円周上に配置され、前記回転ダイアルの回転操作の際に、前記種類検出用の切欠き部の有無を検出する複数の第２センサと、前記第１センサ、及び複数の前記第２センサが実装されるフレキシブル基板と、前記第１センサ、及び複数の前記第２センサの検出結果に基づいて、前記切り替えられた前記切替対象部材の種類を判別する判別手段と、を備え、前記回転ダイアルの回転操作により前記第１センサが複数の前記回転位置検出用の切欠き部を個々に検出するタイミングでの複数の前記第２センサの検出結果の組み合せが異なることを特徴とする。
【発明の効果】
【００１４】
本発明によれば、回転ダイアルの回転操作により複数種の切替対象部材の切替を行う際に、切り替えられた切替対象部材の種類を検出するセンサの検出精度を低下させることなく、センサが実装されるフレキシブル基板の形状の自由度を向上させることができる。これにより、フレキシブル基板の材料取りの歩留りが向上して、コストダウンを図ることができる。
【図面の簡単な説明】
【００１５】
【図１】（ａ）は本発明の電子機器の第１の実施形態であるデジタルビデオカメラを正面側（被写体側）から見た斜視図、（ｂ）は（ａ）に示すデジタルビデオカメラを背面側から見た斜視図である。
【図２】デジタルビデオカメラの概略システム構成図である。
【図３】ＮＤユニットの外観斜視図である。
【図４】図３に示すＮＤユニットの分解斜視図である。
【図５】（ａ）はＮＤフィルタユニットのＮＤフィルタが撮影光路に進入している状態を示す図、（ｂ）はＮＤフィルタユニットのＮＤフィルタが撮影光路から退避している状態を示す図である。
【図６】（ａ）は回転ダイアルをカム部材の反対側から軸方向に見た図、（ｂ）は回転ダイアルの回転角度と、回転角度におけるフォトインタラプタの出力のＨＩ−ＬＯＷ関係を示す論理チャート図である。（ｃ）は、フレキシブル基板と回転ダイアルとの関係を示す図である。
【図７】フォトインタラプタの検出信号を基にＮＤフィルタユニットのＮＤフィルタの種類を判別する処理例について説明するためのフローチャート図である。
【図８】（ａ）は本発明の電子機器の第２の実施形態であるデジタルビデオカメラにおいて、回転ダイアルをカム部材の反対側から軸方向に見た図、（ｂ）はフレキシブル基板と回転ダイアルとの関係を示す図である。
【図９】（ａ）は従来の電子機器における回転ダイアルの環状リブとフォトインタラプタとの関係を示す図、（ｂ）は回転ダイアルの回転角度と、回転角度におけるフォトインタラプタのＨＩ−ＬＯＷ関係を示す論理チャート図である。（ｃ）は、フレキシブル基板と回転ダイアルとの関係を示す図である。
【図１０】（ａ）は従来の電子機器における回転ダイアルの環状リブとフォトインタラプタとの関係を示す図、（ｂ）は回転ダイアルの回転角度と、回転角度におけるフォトインタラプタのＨＩ−ＬＯＷ関係を示す論理チャート図である。
【発明を実施するための形態】
【００１６】
以下、本発明の実施形態を図面を参照して説明する。
【００１７】
（第１の実施形態）
図１（ａ）は、本発明の電子機器の第１の実施形態であるデジタルビデオカメラを正面側（被写体側）から見た斜視図である。図１（ｂ）は、図１（ａ）に示すデジタルビデオカメラを背面側から見た斜視図である。なお、図１（ａ）では、回転ダイアルの周辺の拡大図も示している。
【００１８】
本実施形態のデジタルビデオカメラは、カメラ本体１００のレンズマウント１０２にレンズ鏡筒１０１が着脱可能に装着される。また、カメラ本体１００には、ハンドル部１０３、グリップ部１０４、電源スイッチ１０５、ＬＣＤ等の表示部１０６、電子ビューファインダ１０８、及び回転ダイアル１０９が設けられる。電子ビューファインダ１０８には、アイカップ１０７が装着されている。
【００１９】
回転ダイアル１０９は、カメラ本体１００に内蔵される複数（本実施形態では４つ）のＮＤフィルタユニット１１６〜１１９（図４参照）のＮＤフィルタの切り替えを行うために使用する。
【００２０】
回転ダイアル１０９を９０°回転操作するごとにＮＤフィルタユニット１１６〜１１９を選択的に回動させて光透過率の異なる４種類のＮＤフィルタを切り替えて撮影光路に進入させることができる。ここで、４種類のＮＤフィルタは、本発明の複数種の切替対象部材の一例に相当する。
【００２１】
図２は、デジタルビデオカメラの概略システム構成図である。図２に示すように、レンズ鏡筒１０１及びＮＤユニット１１０を通過した被写体光は、ＣＣＤセンサやＣＭＯＳセンサ等の撮像素子１１１に結像して光電変換される。撮像素子１１１から出力された画像信号は、デジタル変換された後、ＣＰＵ１１２によって処理され、表示部１０６および電子ビューファインダ１０８に表示される。
【００２２】
ＮＤユニット１１０は、上述したように、回転ダイアル１０９を９０°回転操作するごとに光透過率の異なる４種類のＮＤフィルタを切り替えて撮影光路に進入させて撮影画像の明るさを調節することができる。
【００２３】
回転ダイアル１０９の９０°ごとの回転位置は、４種類のＮＤフィルタの種類に対応している。回転ダイアル１０９の９０°ごとの回転位置は、フレキシブル基板１２４に実装された後述するフォトインタラプタ１２４ａ〜１２４ｃにより検出され、その検出信号はＣＰＵ１１２に出力される。
【００２４】
ＣＰＵ１１２は、フォトインタラプタ１２４ａ〜１２４ｃの検出信号に基づき、撮影光路に進入したＮＤフィルタの種類が判別し、その判別結果を表示部１０６および電子ビューファインダ１０８に表示する。
【００２５】
次に、図３乃至図５を参照して、ＮＤユニット１１０について説明する。図３はＮＤユニット１１０の外観斜視図、図４は図３に示すＮＤユニット１１０の分解斜視図である。
【００２６】
図３及び図４に示すように、ＮＤユニット１１０は、ＮＤフィルタユニット１１６〜１１９、摺動レール１１４，１１５、及びカム部材１２０が上側ケース１２１と下側ケース１１３との間に収納される。
【００２７】
回転ダイアル１０９、及び回転ダイアル１０９にクリック感を付与するクリック板１２２は、上側ケース１２１の外側に押え部材１２３によって押された状態で取り付けられる。回転ダイアル１０９の外側には、後述するフォトインタラプタ１２４ａ〜１２４ｃが実装されたフレキシブル基板１２４が押え板１２５によって固定されている。
【００２８】
次に、図５を参照して、ＮＤフィルタユニット１１６について説明する。なお、ＮＤフィルタユニット１１７〜１１９については、ＮＤフィルタユニット１１６に対してＮＤフィルタの光透過率が異なるだけであるため、その説明を省略する。
【００２９】
図５（ａ）は、ＮＤフィルタユニット１１６のＮＤフィルタ１１６ａが撮影光路に進入している状態を示す図である。図５（ｂ）は、ＮＤフィルタユニット１１６のＮＤフィルタ１１６ａが撮影光路から退避している状態を示す図である。
【００３０】
図５に示すように、ＮＤフィルタユニット１１６は、ホルダ１１６ｂによって保持されているＮＤフィルタ１１６ａを有している。ホルダ１１６ｂは、下側ケース１１３の回動軸１１３ｂに回動可能に嵌合されるとともに、アーム１１６ｆに連結軸を介して回動可能に連結されている。また、アーム１１６ｆの連結軸と反対側の端部には、アームガード１１６ｅが装着されている。
【００３１】
アーム１１６ｆの掛止部１１６ｄには、引っ張りコイルばね１１６ｃの一端が形成され、引っ張りコイルばね１１６ｃの他端は、下側ケース１１３の軸１１３ｄに掛止されている。引っ張りコイルばね１１６ｃは、ホルダ１１６ｂに保持されたＮＤフィルタ１１６ａを撮影光路から退避する方向に付勢する（図５（ｂ））。
【００３２】
下側ケース１１３の軸部１１３ａには、回転ダイアル１０９及びカム部材１２０が回転可能に支持される。カム部材１２０は、回転ダイアル１０９の回転操作に連動して軸部１１３ａを中心に回動する。ここで、カム部材１２０は、回転ダイアル１０９の回転操作に連動して複数種のＮＤフィルタを切替動作させる切替機構の一例に相当する。
【００３３】
カム部材１２０には、軸部１１３ａの軸方向の位置が異なる４つのカム片１２０ａを有する。４つのカム片１２０ａは、９０°ごとに互いに軸部１１３ａ周りに離間配置され、ＮＤフィルタユニット１１６〜１１９の各アームガード１１６ｅに対応して各アームガード１１６ｅに対して個別に係合する。
【００３４】
回転ダイアル１０９の回転操作によりアーム１１６ｆに装着されたアームガード１１６ｅに対してカム部材１２０の対応するカム片１２０ａが係合することで、アーム１１６ｆが図の略上下方向に移動する。その際に、アームガード１１６ｅは、左右から摺動レール１１４，１１５によって案内される。
【００３５】
そして、アーム１１６ｆが図５の上方向へ移動することによって、ＮＤフィルタ１１６ａを保持するホルダ１１６ｂが回動軸１１３ｂを中心には図５の下方向へ回動し、これにより、ＮＤフィルタ１１６ａが撮影光路に進入して撮影光路が遮られる。ＮＤフィルタ１１６ａが撮影光路に進入した際には、ホルダ１１６ｂが弾性部材１１３ｆに当接して位置が規制される。
【００３６】
また、回転ダイアル１０９の回転操作により、カム片１２０ａがアームガード１１６ｅを押し上げ状態から退避していくと、引っ張りコイルばね１１６ｃの付勢力によってＮＤフィルタ１１６ａを保持するホルダ１１６ｂは図５の上方向へ回動する（図５（ｂ））。これにより、ＮＤフィルタ１１６ａが撮影光路から退避し、また、ホルダ１１６ｂが弾性部材１１３ｅに当接して位置が規制される。
【００３７】
このように、ＮＤフィルタユニット１１６〜１１９の切り替え動作は、回転ダイアル１０９の回転操作に伴うカム部材１２０の回転によって行われる。従って、回転ダイアル１０９の回転位置を検出することにより、ＮＤフィルタユニット１１６〜１１９に設けられるＮＤフィルタの種類を判別する事が可能となる。
【００３８】
次に、図６を参照して、回転ダイアル１０９の回転位置の検出例について説明する。図６（ａ）は、回転ダイアル１０９をカム部材１２０の反対側から軸方向に見た図である。図６（ａ）に示すように、回転ダイアル１０９は、カム部材１２０が配置されている側とは反対側に突出する外側環状リブ１０９ａ及び内側環状リブ１０９ｂを有する。
【００３９】
内側環状リブ１０９ｂは、外側環状リブ１０９ａの径方向内側に配置され、外側環状リブ１０９ａ及び内側環状リブ１０９ｂともに、回転ダイアル１０９の回転軸と同軸とされている。外側環状リブ１０９ａには、周方向に９０°間隔で４つの切欠き部１０９ｃが形成されている。また、内側環状リブ１０９ｂには、半周分（１８０°）の切欠き部１０９ｄが形成されている。
【００４０】
フレキシブル基板１２４には、フォトインタラプタ１２４ａ〜１２４ｃが実装される。フレキシブル基板１２４は、回転ダイアル１０９の環状リブ１０９ａ，１０９ｂが突出している面に対して投影上重なって配置される。フォトインタラプタ１２４ａ〜１２４ｃの検出信号は、フレキシブル基板１２４を介してＣＰＵ１１２に出力される。
【００４１】
図６（ａ）に示す状態では、外側環状リブ１０９ａの同一円周上にフォトインタラプタ１２４ａが１つの切欠き部１０９ｃに一致して配置され、内側環状リブ１０９ｂの同一円周上にフォトインタラプタ１２４ｂ，１２４ｃが互いにα°離間して配置される。また、本実施形態においては、フォトインタラプタ１２４ａは、フォトインタラプタ１２４ｂ，１２４ｃとは異なる位相、すなわち内側環状リブ１０９ｂの中心から見て径方向に重ならないように配置されている。具体的には、フォトインタラプタ１２４ａは、フォトインタラプタ１２４ｂ，１２４ｃの配置されている間隔のうち環状リブの周方向で二等分する箇所、即ちα／２度ずつ離間された箇所に配置されるものとする。
【００４２】
フォトインタラプタ１２４ａは、回転ダイアル１０９の回転操作の際に、外側環状リブ１０９ａに形成された切欠き部１０９ｃの有無を検出する。また、フォトインタラプタ１２４ｂ，１２４ｃは、回転ダイアル１０９の回転操作の際に、内側環状リブ１０９ｂに形成された切欠き部１０９ｄの有無を検出する。ここで、フォトインタラプタ１２４ａは、本発明の第１センサの一例に相当し、フォトインタラプタ１２４ｂ，１２４ｃは、本発明の第２センサの一例に相当する。
【００４３】
図６（ｂ）は、回転ダイアル１０９の回転角度（環状リブ１０９ａ，１０９ｂの回転角度）と、回転角度におけるフォトインタラプタ１２４ａ〜１２４ｃの出力のＨＩ−ＬＯＷ関係を示す論理チャート図である。図６（ａ）は、回転ダイアル１０９の回転角度が０°の状態であり、回転ダイアル１０９の回転方向は反時計回り方向を正とする。
【００４４】
また、図６（ｂ）では、回転ダイアル１０９を回転操作した際、外側環状リブ１０９ａの切欠き部１０９ｃ以外の部分がフォトインタラプタ１２４ａ（ｓｅｎｓｏｒＡ）を通過して光が遮られているときをＨＩとしている。また、内側環状リブ１０９ｂの切欠き部１０９ｄ以外の部分がフォトインタラプタ１２４ｂ，１２４ｃ（ｓｅｎｓｏｒＢ，Ｃ）を通過して光が遮られているときをＨＩとしている。
【００４５】
一方、回転ダイアル１０９を回転操作した際、外側環状リブ１０９ａの切欠き部１０９ｃがフォトインタラプタ１２４ａを通過して光が受光されたときをＬＯＷとしている。また、内側環状リブ１０９ｂの切欠き部１０９ｄがフォトインタラプタ１２４ｂ，１２４ｃを通過して光が受光されたときをＬＯＷとしている。
【００４６】
図６（ｂ）に示すように、回転ダイアル１０９が９０°回転するごとに、フォトインタラプタ１２４ａは切欠き部１０９ｃを検出し、出力はＬＯＷとなる。これにより、ＮＤフィルタユニット１１６〜１１９のいずれかのＮＤフィルタが撮像光路に進入している場合（ＬＯＷ）と撮影光路から退避している場合（ＨＩ）とを分けることができる。
【００４７】
また、回転ダイアル１０９が９０°回転するごとに、フォトインタラプタ１２４ｂ，１２４ｃの出力は、共にＨＩ、共にＬＯＷ、ＬＯＷとＨＩ、ＨＩとＬＯＷの４つの状態を示す（図６（ｂ））。
【００４８】
即ち、回転ダイアル１０９の回転操作によりフォトインタラプタ１２４ａが４つの切欠き部１０９ｄを個々に検出するタイミングでのフォトインタラプタ１２４ｂ，１２４ｃの検出結果の組み合せが異なる。これにより、ＮＤフィルタユニット１１６〜１１９の４種類のＮＤフィルタとフォトインタラプタ１２４ｂ，１２４ｃの４つの異なる検出結果とを対応させることにより、ＮＤフィルタの種類を判別することが可能となる。
【００４９】
また、フォトインタラプタ１２４ｂ，１２４ｃのＨＩ−ＬＯＷの出力状態は、回転ダイアル１０９が正位置から９０°ごとに回転位置に切り替わる前に切り替わっているため、ＮＤフィルタユニット１１６〜１１９のＮＤフィルタの種類を誤検出することはない。
【００５０】
フォトインタラプタ１２４ｂ，１２４ｃの配置角度αは、０°と１８０°以外であれば、特に限定されない。配置角度αが０°の場合は、２つのフォトインタラプタ１２４ｂ，１２４ｃを重ねて配置することになり、１８０°の場合は、２つのフォトインタラプタ１２４ｂ，１２４ｃの出力が共にＨＩ及び共にＬＯＷの状態にならない。
【００５１】
フォトインタラプタ１２４ｂ，１２４ｃの配置角度αを０°と１８０°以外の角度とすることにより、フォトインタラプタ１２４ａ〜１２４ｃを実装するフレキシブル基板１２４の形状の自由度が増し、小型化が可能となる。
【００５２】
例えば、図６（ｃ）は、α＝９０°の場合のフレキシブル基板１２４と回転ダイアル１０９との関係を示している。図６（ｃ）から明らかなように、フレキシブル基板１２４のサイズは、回転ダイアル１０９の投影面積の約１／４周で足りており、従来例（図９（ｃ））に比べて小型化されているのがわかる。
【００５３】
なお、外側環状リブ１０９ａ及び内側環状リブ１０９ｂに形成される切欠き部の幅は、製造上のばらつきが発生するが、環状リブの径が大きくなるほど角度誤差が小さくなり、精度が向上する。
【００５４】
その為、本実施形態では、回転ダイアル１０９の９０°ごとの回転位置を検出する回転位置検出用の切欠き部１０９ｃを外側円形リブ１０９ａに形成している。また、前もってＨＩ−ＬＯＷの出力状態を切り替えておけるＮＤフィルタの種類検出用の切欠き部１０９ｄを内側環状リブ１０９ｂに形成している。
【００５５】
次に、図７を参照して、フォトインタラプタ１２４ａ〜１２４ｃの検出信号ＰＩａ〜ＰＩｃを基にＮＤフィルタユニット１１６〜１１９のＮＤフィルタの種類を判別する処理例について説明する。図７での各処理は、ＲＯＭ等の記憶手段に記憶された制御プログラムがＲＡＭにロードされて、ＣＰＵ１１２により例えばビデオ同期周期等の所定のタイミングで繰り返して実行される。
【００５６】
ステップＳ２０１では、ＣＰＵ１１２は、フォトインタラプタ１２４ａの検出信号ＰＩａを取得し、ステップＳ２０２に進む。
【００５７】
ステップＳ２０２では、ＣＰＵ１１２は、検出信号ＰＩａの状態がＨＩかＬＯＷかを判断し、ＬＯＷの場合は、ステップＳ２０３に進み、ＨＩの場合は、ステップＳ２０６に進む。ここで、検出信号ＰＩａの状態がＬＯＷの場合は、ＮＤフィルタユニット１１６〜１１９の４種類のいずれかのＮＤフィルタが撮影光路に進入して撮影光路を遮っているのがわかる。
【００５８】
ステップＳ２０３では、ＣＰＵ１１２は、フォトインタラプタ１２４ａ〜１２４ｃの検出信号ＰＩａ〜ＰＩｃを取得し、ステップＳ２０４に進む。
【００５９】
ステップＳ２０４では、ＣＰＵ１１２は、検出信号ＰＩａの状態がＨＩかＬＯＷかを再度判断し、ＬＯＷの場合は、ステップＳ２０５に進み、ＨＩの場合は、ステップＳ２０６に進む。
【００６０】
ステップ２０５では、ＣＰＵ１１２は、検出信号ＰＩｂ，ＰＩｃの状態より、図６（ｂ）の論理チャートを照合して撮影光路に進入しているＮＤフィルタの種類を判別し、その判別結果を表示部１０６及び電子ビューファインダ１０８に表示して、処理を終了する。
【００６１】
ステップＳ２０６では、ＣＰＵ１１２は、ＮＤフィルタが撮影光路から退避していると判断して、フォトインタラプタ１２４ｂ，１２４ｃへの通電を停止し、処理を終了する。これにより、消費電力を削減することができる。なお、消費電力の削減を必要としない場合は、ステップＳ２０１とステップＳ２０２の処理を省略することができる。
【００６２】
以上説明したように、本実施形態では、ＮＤフィルタの種類を検出するフォトインタラプタ１２４ａ〜１２４ｃの検出精度を低下させることなく、フォトインタラプタ１２４ａ〜１２４ｃが実装されるフレキシブル基板１２４の形状自由度を向上させることができる。これにより、フレキシブル基板１２４の材料取りの歩留りが向上して、コストダウンを図ることができる。
【００６３】
（第２の実施形態）
次に、図８を参照して、本発明の電子機器の第２の実施形態であるデジタルビデオカメラについて説明する。図８（ａ）は、回転ダイアル３０１をカム部材１２０の反対側から軸方向に見た図である。なお、本実施形態では、上記第１の実施形態に対して相違する部分のみを説明する。
【００６４】
本実施形態の回転ダイアル３０１は、図８（ａ）に示すように、カム部材１２０が配置されている側とは反対側に突出する外側環状リブ３０１ａ及び内側環状リブ３０１ｃ，３０１ｅを有する。内側環状リブ３０１ｃは、外側環状リブ３０１ａの径方向内側に配置され、内側環状リブ３０１ｅは、内側環状リブ３０１ｃの径方向内側に配置されている。
【００６５】
外側環状リブ３０１ａ及び内側環状リブ３０１ｃ，３０１ｅともに、回転ダイアル３０１の回転軸と同軸とされている。ここで、内側環状リブ３０１ｃは、本発明の第１の内側環状リブの一例に相当し、内側環状リブ３０１ｅは、本発明の第２の内側環状リブの一例に相当する。
【００６６】
外側環状リブ３０１ａには、周方向に９０°間隔で４つの切欠き部３０１ｂが形成されている。また、内側環状リブ３０１ｃ，３０１ｅには、それぞれ半周分（１８０°）の切欠き部３０２ｄ，３０２ｆが形成され、内側環状リブ３０１ｃの切欠き部３０２ｄは、内側環状リブ３０１ｅの切欠き部３０２ｆに対して９０°位相をずらして配置されている。図８（ｂ）は、フレキシブル基板３０２と回転ダイアル３０１との関係を示す図である。図８（ｂ）に示すように、フレキシブル基板３０２には、回転ダイアル３０１の回転角度を検出してその検出信号をＣＰＵ１１２に出力するフォトインタラプタ３０２ａ〜３０２ｃが実装される。
【００６７】
図８（ｂ）に示す状態では、外側環状リブ３０１ａの同一円周上にフォトインタラプタ３０２ａが１つの切欠き部３０１ｂに一致して配置され、内側環状リブ３０１ｃ，３０１ｅの同一円周上にそれぞれフォトインタラプタ３０２ｂ，３０２ｃが配置される。
【００６８】
フォトインタラプタ３０２ａ〜３０２ｃは、回転ダイアル３０１の径方向に直線状に並んで配置されている。ここで、フォトインタラプタ３０２ａは、本発明の第１センサの一例に相当し、フォトインタラプタ３０２ｂ，３０２ｃは、本発明の第２センサの一例に相当する。
【００６９】
図８（ａ）に示す状態を回転ダイアル３０１の回転角度が０°とし、回転ダイアル３０１の反時計回り方向の回転角度が正とした場合の回転ダイアル３０１の回転角度ごとのフォトインタラプタ３０２ａ〜３０２ｃの検出結果は図６（ｂ）と同様である。すなわち、フォトインタラプタ３０２ａ〜３０２ｃの検出結果は、フォトインタラプタ１２４ａ〜１２４ｃの検出結果と同様となる。
【００７０】
本実施形態では、フォトインタラプタ３０２ａ〜３０２ｃが回転ダイアル３０１の径方向に直線状に並んで配置されるので、フレキシブル基板３０２の形状も同様に直線状にすることができる。これにより、フレキシブル基板３０２の形状を上記第１の実施形態に比べて小さくすることができる。その他の構成、及び作用効果は、上記第１の実施形態と同様である。
【００７１】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【００７２】
１０９  回転ダイアル
１０９ａ  外側環状リブ
１０９ｂ  内側環状リブ
１０９ｃ，１０９ｄ  切欠き部
１１２  ＣＰＵ
１１６〜１１９  ＮＤフィルタユニット
１２０  カム部材
１２４  フレキシブル基板
１２４ａ〜１２４ｃ  フォトインタラプタ
【図１】
2014044869.tif 000003
【図２】
2014044869.tif 000004
【図３】
2014044869.tif 000005
【図４】
2014044869.tif 000006
【図５】
2014044869.tif 000007
【図６】
2014044869.tif 000008
【図７】
2014044869.tif 000009
【図８】
2014044869.tif 000010
【図９】
2014044869.tif 000011
【図１０】
2014044869.tif 000012